(57)【要約】      （修正有）【課題】従来のシ−ト＆カ−ドホルダ−は、機能の割には構造が複雑な為、樹脂型を新規に起こす必要があり、その為、原価が高く、中には、重力の分力を垂直壁に押し当ててシ−ト類を挟み付ける為、保持力で不利であり、取付場所に制限受けるのもあった。【解決手段】既市販のゼムクリップを、その儘、平面に貼付けて開口部を設け、シ−ト類を片手で脱着できるようにしただけの簡単な方法である為、機能が万全な上に、安価に流通させられる。更に、飾り写真や、輪ゴムのフック等、軽量な関連品を掲示したり、保持させる事も可能になり、従来品に無い機能も持たせられる利点があり、費用対効果の点で、かなり優れた発明と言える。関連品のマグネットホルダ−は、市販のゼムクリップを、その儘、帯磁させるだけで解決し、使用範囲を拡げられ、更に、重宝な物となる。【選択図】図１
2006281752.tif 000002
【特許請求の範囲】
【請求項１】
市販のゼムクリップを磁化自在とした上、シートで平面に接着し、メモ等一般用紙類を片手で掲示可能にした事を特長とするワンハンドメモクリップと、市販のゼムクリップを活用して、これらメモ類を片手で掲示する方法、並びに、必要に応じ、このワンハンドメモクリップに化粧写真類を飾り、更に、必要に応じ、通常の輪ゴム用のフック等の必要物も取付け可能にした事を特長とするワンハンドメモクリップと、当該機能具体化の為に市販のゼムクリップを活用し、あまねくその付加価値を向上させる方法。別途、関連して、ゼムクリップを帯磁させ、掲示物の磁石留め具とする方法。
【発明の詳細な説明】
【技術分野】
【０００１】  この発明は、電気冷蔵庫の外壁や、書斎にメモを掲示したり、有料道路通行料金の領収書を運転中にクリップする等、日常生活におけるあらゆる時と場所を問わず、片手で簡単に数枚のメモ類を、一時的、又は、常時留めておく為に、市販のゼムクリップをその儘活用して付加価値を生み出し、安価にその機能を向上させる事を狙ったものである。これに関連して、磁石で掲示物を留めていた従来の方法に替えて、磁石を目立た無くする為、あるいは、磁石で掲示物を留めていた従来の機能を、ゼムクリップ自体を磁化する事で、ゼムクリップにその機能を付加させることを狙ったものである。［背景技術］【０００２】  従来のワンハンドメモクリップには、髭を内蔵させたり（特許２５２９６１７）、鉄球の自重を応用（特許公告昭５９−４４２３６他）する方法、等の市販例があるが、これらの内容品の樹脂ケースや髭の製作の為に型を起こしている為、多額の製造コストを要する事例しか無かったが、本発明の実用化が、これらの製造コストを無駄なものとせしめ、これらの事例は、京都議定書に言うエネルギーの節約精神にいかに反したものであったかを明らかにせしめたと言える。一方、風景写真等を壁に飾る際、画鋲・セロテープ・磁石等を使って、４隅乃至上部２箇所を留めると、これら留め具が目障りになっていたのを解消する方法として、ゼムクリップ自体を帯磁すれば解決する。［発明の開示］［発明が解決しようとする課題］【０００３】  解決しようとする問題点は、イ．画鋲で留める場合は、柱や壁や用紙類に傷を付ける上に、ワンハンドとは言えない。ロ．電気冷蔵庫の外壁には、両手を使って磁石でメモを挟んで留めていた。ハ．有料道路走行領収書類は、運転中ポケットに入れたりして、無くす事多々あった。ニ．ゴム製の髭を応用した（特許２５２９６１７）場合、ケースと髭板の成形用型を新規に起こす為、当該機能実現の為の費用対効果の点でかなり難点がある。ホ．鉄球の自重を応用した事例だと、取付け面に制約がある上に、ケース成形用型が必要な為、製造コストの面でも、機能面でも髭式と同様かなりの難点がある。ヘ．画鋲・セロテープ・磁石等の留め具を目立た無く掲示する方法が無かった。［課題を解決する為の手段］【０００４】  本発明は、その目的から、市販の各種ゼムクリップの内、長さにして、５センチ以上のを対象とする。このワンハンドメモクリップを固定する耐久性あるシートは、適当なサイズのものＡ、Ｂ２種類で構成し、Ａは、Ｕ字形が大小２重に重なった方の、小の方の先端と、この両側の固定の為使用し、Ｂは、中形のＵ字を含めたＡから出っ張った部分を全面固定して、Ａ、Ｂ双方で全体を固定する。冷蔵庫の場合などは、ゼムクリップを磁化した場合、ゼムクリップ固定の為のシートの貼付けが必要無いが、Ｕ字先端接着面にメモが引っ掛かって、スムーズに留められないので、この引っ掛かりを無くす為に、シートを貼って凸部を無くして、メモ用紙を滑らかに滑らせる必要がある。更に、風景写真等を額縁を使わずに、直に壁等に掲示する場合、留め具を目立た無くする為に、磁化したゼムクリップを掲示物裏にセロテープ等で留めておけば、壁側が鉄なら、その儘、掲載できるし、鉄以外なら壁側にも磁化したゼムクリップ���セロテープ等で留めておけば、留め具を目立たせずに体裁良く掲示できる。この留め具を対象とするゼムクリップは、サイズ不問。［発明の効果］【０００５】  長さ約５センチ四方より少し広めの平らな取付面さえあれば、水平・斜め・垂直を問わず取付けが可能で、しかも、既市販例の様な大袈裟な型を必要とせず、既述市販ゼムクリップを透明なシートで平面に取付けるだけで、既述市販ゼムクリップの付加価値が向上し、安価に量産できる効果が期待できる。既に見慣れた市販ゼムクリップをシートで貼付けてあるのが野暮ったく思う向きには、本人好みの写真類をワンハンドクリップ全体を覆うように飾り付けておけば、その分、気分も和み、機能の向上と共に、安価な事もあって、一挙両得感を得られる効果がある。この飾り写真の裏に、小さ目のゼムクリップを変形させて、輪ゴムを掛ける為フック状にしたものを、セロテープで飾り写真の裏側に接着しておくと、磁化した本発明のワンハンドメモクリップに簡単に取付けられる。本発明は、アイデア料で殆どを占めたとしても、１００円以下で市販できるが、上記既市販品は、髭内蔵式は３８０円、鉄球自重式は２９８円なので、本発明は、機能的に万全な上に、かなり安価に販売できる効果がある。一方、掲示物を４隅に磁石や画鋲やセロテープ等で留めると、留め具が目障りになる場合には、これら留め具に替えて、磁化したゼムクリップを、掲示物の裏に接着しておき、壁にも、必要に応じて、磁化したゼムクリップを接着しておくと、従来、壁が鉄で無い為、磁石の留め具が使え無かった箇所でも、即ち、非鉄材の壁にも、留め具を目立た無くして、掲示できるようになる。両面テープは、使い捨てだが、このゼムクリップは、他にも転用が効くし、何度も再利用可能。［発明を実施するための最良の形態］【０００６】    以下、本発明の実施の形態を、図１〜図５に基づいて説明する。イ．耐久性ある透明なシートは、適当なサイズのものＡ、Ｂ２種類で構成し、Ａをメモ取付側とし、ＢをＡから飛び出た部分のゼムクリップ取付側として以下詳細に説明する。Ａの糊塗布部分には、（１）が１枚、（２）と（３）は、同じものを１枚ずつの糊保護紙を、ゼムクリップ（５）と、糊保護紙（１）を挟む位置に配し、これら３枚でゼムクリップ（５）を貼る位置を決める。糊保護紙（４）は、ゼムクリップ（５）を固定する為に、透明なシートＡから出っ張っているゼムクリップ（５）の部分を、全面的に取付面に貼付ける為のもので、Ｂ全面に塗布した糊保護の為、糊保護紙（４）の面積は、Ｂと同じである。ロ．ゼムクリップ（５）は、全長５センチの物を本発明用の事例として特定し、３箇所Ｕ字形に折り曲げた内の、大と小が重なった方で、この部分でメモを挟むようになっている。これと反対側に、中形のＵ字部分があり、この部分を透明なシートＢで最終的に取付面に固く固定するが、その前に、糊保護紙（１）の糊部分で小Ｕ字の先端を少し押さえられるように、少し糊保護紙（１）の当該部分をめくり上げておき、糊保護紙（２）と、（３）の間を、Ｕ字の大と、小の間に、透明なシートＡの糊の付いている側を小Ｕ字側にして、小Ｕ字の先端を糊で接着し、尚且、小Ｕ字左右を押さえるように挟み込む。ハ．次いで、小Ｕ字の先端が糊���くっついているから、ゼムクリップ（５）と透明なシートＡがくっついている為、ゼムクリップ（５）を持って、糊保護紙（１）と（２）と（３）をシートＡから剥してしまって、所定の貼付け場所に、ゼムクリップ（５）と透明なシートＡを貼付け、その後に、残りのシートＢをゼムクリップ（５）の出っ張っている部分を固定する為に確実に貼付けると完成する。ニ．ゼムクリップ（５）自体を磁化した場合、電気冷蔵庫の外壁や、取付面が鉄製の壁の箇所でも、透明なシートＡを貼ってゼムクリップ（５）の先端の出っ張りを無くしておかないと、引っ掛かって、メモをスムーズに留められ無い。ホ．必要に応じ、飾り写真（７）の裏に、小さなゼムクリップ（６）を２個セロテープ（８）類で飾り写真の裏側に接着しておくと、磁化したゼムクリップ（５）に吸着させて、飾り写真（７）を飾れる。更に、小さなゼムクリップ（６）を変形させて、セロテープ（８）類で飾り写真の裏側に吸着させておくと、磁化したゼムクリップ（５）に簡単に輪ゴム（９）を引っ掛けておける。ヘ．サイズの大きな写真やポスター（７）の裏に、必要個、磁化したゼムクリップ（５）を接着しておくと、掲示する壁が、鉄の場合、その儘、壁に掲示できるし、非鉄の場合いは、それに相対する壁の位置に、ゼムクリップ（５）をセロテープ（８）類で貼付けておけば、留め具を目立たせずに体裁良く掲示できるし、磁石留め具より使い道広い。    本発明は、以上の構成よりなっている。［産業上の利用可能性］【０００７】  生活する上で、メモ類掲示の必要な場所として、台所の電気冷蔵庫・自動車の運転席・仕事机や勉強机の傍等がある。従来から多用している針金製のゼムクリップは、その使用目的は、ただ単に、関連する数枚の用紙を束ねておくだけだったが、上記場所では、片手に持った書類を、必要な箇所に、片手でその儘掲示できれば、大いに手間が省けると言え、安価に仕上げたこの事務用品は、今後大いに重宝するものと確信する。関連発明の、ワンハンドメモクリップに馴染ま無い、大型の掲示物や、小型でも、従来の磁石等を使った掲示の仕方に替えて、メモをクリップする機能に、掲示機能を付加した本発明に因り、更に、ゼムクリップの効用が、産業上の利用可能性を広げるものと言える。
【図面の簡単な説明】
【０００８】
【図１】本発明の実施形態を示す飾り写真取付け前の全体外観図
【図２】飾り写真取付け用ゼムクリップを写真の裏側にセロテープで貼った図
【図３】飾り写真の裏側に輪ゴムのフックをセロテープで貼った図
【図４】掲示物の裏側の必要箇所に帯磁ゼムクリップをセロテープで貼った図
【図５】掲示物の表側の必要箇所に帯磁ゼムクリップで掲示物を留めた図
【符合の説明】
【０００９】    Ａ      耐久性ある透明なシートの下部    Ｂ      耐久性ある透明なシートの上部    （１）  耐久性ある透明なシートＡの下部中央部の糊保護紙    （２）  耐久性ある透明なシートＡの左側の糊保護紙    （３）  耐久性ある透明なシートＡの右側の糊保護紙    （４）  耐久性ある透明なシートＢ全面の糊保護紙    （５）  本発明に使用するゼムクリップ本体    （６）  飾り写真の裏に取付ける小さなゼムクリップ    （７）  飾り写真    （８）  飾り写真の裏に取付ける小さなゼムクリップを取付けるセロテープ    （９）  輪ゴム
【図１】
2006281752.tif 000003
【図２】
2006281752.tif 000004
【図３】
2006281752.tif 000005
【図４】
2006281752.tif 000006
【図５】
2006281752.tif 000007
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
磁化自在の市販ゼムクリップに、薄いシ−ト状のものを挿入して開口部を設けた後に、当該ゼムクリップを当該シ−トで平面に固着させて得られる考案品において、日常多用するシ−トやカ−ド類を、片手で当該考案品に保持させるようにした事を特長とするホルダ−と、当該ホルダ−の製作法、並びに、必要に応じ、当該ホルダ−に化粧写真類を飾ったり、輪ゴム用のフックを取付けたり、数段重ねて多段式にしたり、その他関連する必要な機能具体化の為に、市販のゼムクリップを活用し、あまねく、その付加価値を向上させる方法。及び、ゼムクリップ自体を帯磁させ、掲示物のマグネットホルダ−にする方法。
【手続補正２】
【補正対象書類名】明細書
【補正対象項目名】全文
【補正方法】変更
【補正の内容】
【発明の詳細な説明】
【技術分野】
【０００１】  本発明は、電気冷蔵庫の外壁や、書斎に、メモを掲示したり、車で移動中の駐車券や、是に類する物品を、左手はハンドル握った儘、右手だけで保持収納を要する等、日常生活におけるあらゆる時と場所を問わず、片手で簡単に、シ−トやカ−ドを保持させておきたい為に、ゼムクリップをその儘使い、安価にその機能を活かす事を狙ったものである。
一方、従来のマグネットホルダ−の機能を、磁化したゼムクリップ自体に持たせる事により、従来のマグネットホルダ−に無い機能を持たせられるので、その用途を更に広めるのを狙いとする（以降、車に関しては、右側ハンドル車仕様に対し記述する）。
【背景技術】
【０００２】  従来のこの種ホルダ−には、髭を内蔵させたり（特許２５２９６１７）、鉄球の自重応用（特許公告昭５９−４４２３６他）する方法、等の市販例があるが、是等の内容品の樹脂ケ−スや、髭製作の為の専用型を要する為、多額の製造コスト投資を要する事例しか無かったが、本発明の実用化が、是等の費用を無駄なものとせしめ、是等の事例は、京都議定書に言うエネルギ−の節約精神に、いかに反したものであったかを、明らかにせしめたと言える。もう一つ、殊に、自動車に搭載する場合は、サンバイザ−が設置場所として最適と考えているが、是等の既製品は、自動車に設置する場合に、不向きであると言える。
一方、風景写真等を壁に飾る際、画鋲・セロテ−プ・磁石等を使って、４隅乃至上部２箇所を留めると、是等の物品が目障りになり勝ちだったのを解消する方法として、ゼムクリップ自体を帯磁させる手段を挙げられる。この手段には全く新規性がある。
【発明の開示】
【発明が解決しようとする課題】
【０００３】        解決しようとする問題点は、
イ．画鋲で留める場合は、柱や壁や用紙類に傷を付ける上に、片手での掲示不可能。
ロ．電気冷蔵庫の外壁には、磁石でメモ類を挟んで留める為、片手での掲示不可能。
ハ．車では、左手でハンドル握りながら、右手で容易に収納可で安価なホルダ−が必要。
ニ．セルフ式給油スタンド用カ−ドや、キャッシュカ−ド類の収納は、この方法が便利。
ホ．ゼムクリップを台紙に固定し、開口部を確保するには、タック紙が最適である。
ヘ．画鋲・セロテ−プ・磁石等に代え、是等を目立たなく掲示する方法が見つかった。
【課題を解決する為の手段】
【０００４】  本発明は、市販の各種ゼムクリップを対象とし得るが、その目的から、全長５〜３センチが、手頃なサイズである。このゼムクリップ（１）を平面に固定する一例として、タック紙（２）を使用する場合を述べる。ゼムクリップ固定は、ＡとＢの紙片を使い、Ａは、更に、ＡとＣに、剥離側（３）のみ分ける（強靱な場合、Ｃの分離不要であり、接着力が増す為、Ｂも不要）。Ｂは、写真等（９）を貼る為の両面テ−プとし、貼ら無い場合は、両面の必要無い。即ち、ゼムクリップ（１）の固定は、ＡのＣを除く部分と、Ｂの接着に因る。結局、Ｃ部分は、接着剤不要部分な為、タック紙使用時は、剥離側を剥さず使用する。従って、片手でゼムクリップに物を挟めるように、Ｃ部分を挿入した為に生じた隙間が、物を挟む為の開口部（１２）であり、この開口部（１２）をタック紙の挿入で得られた事が、特許権主張眼目の一つ目であり、このＣ部分の剥離側の紙片（３）を、その儘、使用して、タック紙の挿入をし易くする事が、二つ目の発明の眼目である。タック紙に替えて、薄い金属板等の場合、この二つ目の剥離側の紙片（３）を使う必要無い事と、貼付けの手間が必要無いが、台紙に替えて樹脂等の高価な型代と、圧入の為の厳しい寸法管理が伴い、型代を含めた費用対効果で、どちらを選択すべきかが決まる。ゼムクリップを磁化し、冷蔵庫に使用する場合は、ゼムクリップの貼付けは、殊更不要だが、この開口部（１２）を確保したり、ゼムクリップの先端（４）を隠さずば、挟む物が引っ掛かり易いので、結局、タック紙を貼って、挟む物が引っ掛かるのを防止する必要がある。
一方、額縁を使わずに、掲示物を直に壁面等に掲示する場合、ホルダ−を目立たなくする為に、磁化したゼムクリップ（７）を、掲示物裏にセロテ−プ等（８）で留めておけば、壁側が鉄なら、その儘、掲示できるし、鉄以外なら、壁側にも、磁化したゼムクリップを、セロテ−プ等で留めておけば、ホルダ−を目立たせずに、体裁良く掲示できる。
【発明の効果】
【０００５】  長さ約６センチ四方より少し広めの、平らな取付面さえあれば、水平・斜め・垂直を問わず取付けが可能で、しかも、既市販例の様な大袈裟な型を要せず、市販のゼムクリップ（１）をタック紙（２）で固定するだけで、当該クリップの付加価値が向上し、安価に流通させ得る効果が期待できる。必要に応じ、写真や、社章（９）でクリップ（１）を覆えば、一挙両得感が得られる。この写真や台紙の裏に、小さめのゼムクリップを変形させて、輪ゴム（１０）を掛ける為、フック（１１）状にしたのを、セロテ−プ（８）で接着しておくと、このホルダ−の効用が増す。本発明は、アイデア料で殆どを占めたとしても、３５円以下で販売できるが、上記の既市販品は、髭内蔵式は３８０円、鉄球自重式は２９８円なので、本発明は、機能的に万全な上に、相当安価に市販できる効果がある。
一方、掲示物を４隅に磁石や画鋲やセロテ−プ等で留めると、留め具が目障りに成る場合には、是等留め具に替えて、磁化したゼムクリップを接着しておくと、従来、壁が鉄で無い為、マグネットホルダ−が使え無かった箇所でも、即ち、非鉄材の壁にも、当該ホルダ−を目立たなくして、掲示できるようになる。接着テ−プは、使い捨てだが、このゼムクリップは、他にも転用が効くし、何度も再利用可能な点でも合理的である。
【発明を実施する為の最良の形態】
【０００６】    以下、本発明の実施の形態を、図１〜図８に基づいて説明する。
Ｉ．シ−ト＆カ−ドホルダ−・・・代表例として、タック紙で固定する方法を説明する。
イ．図１のＡとＢとＣ部分を合成した長方形の台紙（６）に、ゼムクリップ（１）をタック紙（２）で貼付ける手順を以下で順次説明する。
ロ．接着部は、ＡとＢの２種類で構成し、Ａをメモ等の取付け側とし、Ｂは残りの飛び出た部分の固定用とし、写真等（９）を張付ける場合は、Ｂ部のみ両面テ−プとする。
Ｃ部分は、ゼムクリップ（１）に開口部（１２）を確保すると共に、タック紙を挿入し易くする為に設けてあり、剥離側にスリット（５）を入れ、Ａ部分とＣ部分を分離できるようにしておく。
ハ．まず、タック紙（２）のＣ部分をゼムクリップ（１）に挿入して、図２の状態にする。
ニ．次に、コの字状のＡ部分を剥して、台紙（６）に接着し、図３の状態にする。
ホ．次に、ゼムクリップ（１）の上部の飛び出たＢ部分は、写真等（９）を貼付ける場合は、両面テ−プとし、写真等を貼付け無い場合は、タック紙等で固定する。Ｃ不要時、粘着力も強いので、写真等を貼付ける場合は、両面テ−プを左右に分け、図４とする。
ヘ．ゼムクリップ自体を磁化した場合でも、電気冷蔵庫の外壁に取付ける場合などは、タック紙等でゼムクリップ先端（４）を隠し、引っ掛かりを無くさなければならない。
ト．写真等（９）と同サイズの台紙（６）に、小さめの手頃なゼムクリップ（１）をタック紙（２）で固定すると、図５のように、多段式のホルダ−が作れる。
チ．必要に応じ、台紙や、写真の裏に、小さなゼムクリップを変形させた輪ゴムフック（１１）をセロテ−プで接着しておけば、図６のように輪ゴムも収納できる。
ＩＩ．マグネットホルダ−・・・図７や、図８のように磁化したゼムクリップをマグネットホルダ−とする方法。
イ．大きめの写真やポスタ−の裏に、必要個、磁化したゼムクリップ（７）をセロテ−プ（８）で接着しておくと、鉄製の壁の場合、その儘、壁に掲示できるし、非鉄の場合は、相対する壁の位置に、ゼムクリップをセロテ−プで接着しておけば、マグネットホルダ−を目立たせずに体裁良く掲示できるし、従来のマグネットホルダ−より用途を広めた使い方ができる。
本発明は、以上の構成よりなっている。
【産業上の利用可能性】
【０００７】  生活する上で、メモ類掲示の必要な場所として、台所の電気冷蔵庫・自動車の運転席・執務机や勉強机の傍等がある。従来から多用している針金製のゼムクリップは、その用途は、ただ単に、関連する数枚の用紙を纒めておくだけだったが、上記各場所では、片手に持った物品を、片手でその儘掲示できれば、大いに手間が省けると言え、安価に機能の発揮できるこの事務用品は、今後、大いに重宝するものと確信する。
掲示物の大小を問わず、従来のマグネットホルダ−に対して、ゼムクリップを磁化してマグネットホルダ−とする当該発明は、ゼムクリップの産業上の利用可能性を更に一段と広げるものと言える。
【図面の簡単な説明】
【０００８】
【図１】本発明の実施形態を示す、飾り写真取付け前の全体平面図
【図２】ゼムクリップにタック紙を挟み、台紙に貼る直前の状態図
【図３】コの字状のＡ部分を剥して、台紙に接着した状態図
【図４】Ａが強靱な場合、Ｃ不要なので、粘着力強い為、Ｂを分離した状態図
【図５】ゼムクリップの大と小を２段式に重ね合わせた全体側面図
【図６】飾り写真や台紙の裏側に、輪ゴムのフックをセロテ−プで貼った図
【図７】掲示物の裏側に、磁化したゼムクリップをセロテ−プで貼った図
【図８】掲示物の表側から磁化したゼムクリップで掲示物を留めた図
【符号の説明】
【０００９】Ａゼムクリップに挿入して開口部を確保したり、貼付けたりする部分。
Ｂゼムクリップの上部を貼付け、必要時、飾り写真等を貼付ける部分。
Ｃ不要で、写真等を貼付ける場合、粘着力強い為、Ｂを左右に分離する。
Ｃ      ゼムクリップの開口部を確保する部分。強靱なタック紙を使い、Ｃの剥離紙を止め、粘着力を増し、写真貼付の為、Ｂを分離して面一にするがベスト。
（１）  ゼムクリップ
（２）  タック紙
（３）  剥離紙
（４）  ゼムクリップ先端
（５）  スリット
（６）  台紙
（７）  磁化したゼムクリップ
（８）  セロテ−プ
（９）  写真や、社章
（１０）輪ゴム
（１１）輪ゴムフック
（１２）ゼムクリップの開口部
【手続補正３】
【補正対象書類名】図面
【補正対象項目名】全図
【補正方法】変更
【補正の内容】
【図１】
2006281752.tif 000008
【図２】
2006281752.tif 000009
【図３】
2006281752.tif 000010
【図４】
2006281752.tif 000011
【図５】
2006281752.tif 000012
【図６】
2006281752.tif 000013
【図７】
2006281752.tif 000014
【図８】
2006281752.tif 000015